(57)【要約】【課題】移動が容易で、かつ、外乱の影響を受けにくいプロジェクタ用制御信号中継装置８を提供する。【解決手段】複数の赤外線パルス列からなる制御信号を受信して光電変換された受信データを受信データ記憶部１４で記憶し、制御信号の受信が完了したか否かを判断する命令実行部１８で判断して、制御信号の受信が完了したと判断された場合には、受信データ記憶部１４に記憶されている受信データに基づき赤外線パルス信号からなる制御信号を発光器２４から射出する。これにより、複数の赤外線パルス列からなる制御信号を取込み、その際にノイズ等が含まれていないことを確認して出力するので、外乱の影響を抑制した中継が、容易に行えるようになり信頼性が向上すると共に利便性が向上する。【選択図】      図１
2005341246.tif 000002
【特許請求の範囲】
【請求項１】
複数の赤外線パルス列からなる制御信号を受光して光電変換された受信データを記憶するデータ記憶手段と、
前記制御信号の受信が完了したか否かを判断する受信完了判断手段と、
該受信完了判断手段により制御信号の受信が完了したと判断された場合には、前記データ記憶手段に記憶されている受信データに基づき赤外線パルスを発光して射出する信号出力手段とを備えることを特徴とするプロジェクタ用制御信号中継装置。
【請求項２】
前記信号出力手段から射出される信号は、前記データ記憶手段で記憶した制御信号と同一仕様の赤外線信号であることを特徴とする請求項１記載のプロジェクタ用制御信号中継装置。
【請求項３】
前記受信完了判断手段が、最後に受信したパルス信号から所定時間経過しても新たなパルス信号を受信しない場合には、前記制御信号の受信が完了したと判断することを特徴とする請求項１又は２記載のプロジェクタ用制御信号中継装置。
【請求項４】
前記受信完了判断手段が、受信したパルス信号の累積パルス数が予め設定された規定パルス数とを比較して、前記累積パルス数が規定パルス数を超えた場合には、受信中の制御信号が不正常であると判断することを特徴とする請求項１乃至３いずれか１項記載のプロジェクタ用制御信号中継装置。
【請求項５】
前記信号出力手段による受信データの射出中に、受信データを受信したか否かを判断する受信判断手段を設けたことを特徴とする請求項１乃至４いずれか１項記載のプロジェクタ用制御信号中継装置。
【発明の詳細な説明】
【技術分野】
【０００１】
本発明は、プロジェクタを赤外線信号により遠隔操作する際に用いるプロジェクタ用制御信号中継装置に関する。
【背景技術】
【０００２】
従来、講演会や展示会等において、オーバーヘッドプロジェクタ（ＯＨＰ）を用いて発表や製品紹介等が行われている。このようなＯＨＰは、プレゼンテーション情報が記載された透明フィルムをＯＨＰに載置し、講演等の進展に応じて置換えながら利用するものであったが、近年の半導体技術等の進歩等により電子データに基づき情報の投影ができるようになっている。
【０００３】
このような装置は一般に、プロジェクタと称されており、投影方式により反射型液晶プロジェクタ、ＤＬＰプロジェクタ、ＣＲＴプロジェクタ、透過型液晶プロジェクタ等がある。本明細書では、これらを総称して単にプロジェクタと記載する。
【０００４】
このようなプロジェクタにおいては、操作用に赤外線リモコンが付属する場合が多いが、プロジェクタの機能向上に伴いリモコンで操作できる内容も多岐にわたり、例えばマウス機能を有するリモコンも多く利用されるようになっている。
【０００５】
しかし、リモコン操作が単にボタン操作であればそれほど問題とならないが、マウス操作の場合には、以下のような問題が顕著となる。
【０００６】
即ち、図８において、操作者１１６がプロジェクタ１０２に向かってマウス操作すると、スクリーン１０４の左右関係とリモコン１１０の左右関係とは逆になるため、操作者１１６はこのことに注意を払いながら操作しなければならなくなって、非常に面倒である。
【０００７】
無論、操作者１１６がスクリーン１０４に向かってマウス操作すると、かかる左右関係の逆転は生じないが、この場合プロジェクタ１０２はスクリーン１０４で反射した赤外線信号（図８においてＡ’の信号）を受信することになる。
【０００８】
ところが、赤外線信号は反射することにより信号強度が弱くなると共に信号品質が大きく劣化するため、かかる反射信号を利用することは実用上の信頼性を確保することができない。
【０００９】
このような問題に対し、リモコン装置からの赤外線を受光する赤外線受光器、該赤外線受光器で受光された信号を電気信号に変換する変換回路、該変換回路からの信号を赤外線信号に変換して照射する赤外線発光器とを具備した赤外線コントロール用中継装置（特許文献１参照）を設けて、当該操作者からの制御信号を受信してプロジェクタに転送することで、操作者がスクリーンに向かって操作しても常に適切に受信されるようにすることが考えられる。
【特許文献１】特願平９−３６８１３号公報
【発明の開示】
【発明が解決しようとする課題】
【００１０】
しかしながら、上記公報に係るような構成では、例えば蛍光灯から発するノイズ等により受信信号と異なる信号が赤外線発光器から射出されてしまう場合があり、信頼性が低い問題があった。
【００１１】
即ち、リモコン装置１１０からの信号は多数のパルス列からなる信号であるが、上記公報に係る構成では、受信した信号をそのままリアルタイムで出力するため、受信信号にノイズが含まれていると、このノイズも中継されてしまい誤動作を引き起こす原因となると共に、誤動作を抑制することができない。
【００１２】
特に、赤外線受光器は天井等に垂下して設置される構成であるためノイズが入り易く、また部屋毎に設けなければならないため、固定的な会場での利便性はあるが任意の場所での利便性が悪い問題がある。
【００１３】
そこで、本発明は、移動が容易で、かつ、外乱の影響を受け難く信頼性の高いプロジェクタ用制御信号中継装置を提供することを目的とする。
【課題を解決するための手段】
【００１４】
上記課題を解決するため、請求項１に係る発明は、複数の赤外線パルス列からなる制御信号を受光して光電変換された受信データを記憶するデータ記憶手段と、制御信号の受信が完了したか否かを判断する受信完了判断手段と、該受信完了判断手段により制御信号の受信が完了したと判断された場合には、データ記憶手段に記憶されている受信データに基づき赤外線パルス信号を発光して射出する信号出力手段とを備えるものである。
【００１５】
これにより、複数の赤外線パルス列からなる制御信号を取込み、その際にノイズ等が含まれていないことを確認して出力するので、外乱の影響を抑制した中継が、容易に行えるようになり信頼性が向上すると共に、マウス操作するような場合であってもスクリーンとリモコン装置との左右関係が一致して利便性が向上する。
【００１６】
また、請求項２に係る発明は、信号出力手段から射出される信号は、データ記憶手段で記憶した制御信号と同一仕様の赤外線信号である。
【００１７】
これにより、特定のプロジェクタ用制御信号中継装置にかかわらず、赤外線により制御する中継装置であれば全て利用できるようになり汎用性及び利便性が向上する。
【００１８】
また、請求項３に係る発明は、受信完了判断手段が、最後に受信したパルス信号から所定時間経過しても新たなパルス信号を受信しない場合には、制御信号の受信が完了したと判断するものである。
【００１９】
これにより、複数の赤外線パルス列からなる制御信号を取込むことが可能になると共に、この制御信号を出力することができるようになり、外乱の影響を抑制した中継が、容易に行えるようになり信頼性が向上すると共に利便性が向上する。
【００２０】
また、請求項４に係る発明は、受信完了判断手段が、受信したパルス信号の累積パルス数が予め設定された規定パルス数とを比較して、累積パルス数が規定パルス数を超えた場合には、受信中の制御信号が不正常であると判断するものである。
【００２１】
これにより、複数の赤外線パルス列からなる制御信号を取込み、その際にノイズ等が含まれていないことを確認して出力するので、外乱の影響を抑制した中継が、容易に行えるようになり信頼性が向上すると共に利便性が向上する。
【００２２】
また、請求項５に係る発明は、信号出力手段による受信データの射出中に、受信データを受信したか否かを判断する受信判断手段を設けたものである。
【００２３】
これにより、受信データの射出中に受信した制御信号がある場合には、この制御信号を無視することで、出力信号の信頼性を向上させることが可能になる。
【発明の効果】
【００２４】
本発明によれば、複数の赤外線パルス列からなる制御信号を受信して光電変換された受信データを記憶するデータ記憶手段と、制御信号の受信が完了したか否かを判断する受信完了判断手段と、該受信完了判断手段により制御信号の受信が完了したと判断された場合には、データ記憶手段に記憶されている受信データに基づき赤外線パルス信号からなる制御信号を射出する信号出力手段とを備えたので、複数の赤外線パルス列からなる制御信号を取込み、その際にノイズ等が含まれていないことを確認して出力するので、外乱の影響を抑制した中継が、容易に行えるようになり信頼性が向上すると共に、マウス操作するような場合であってもスクリーンとリモコン装置との左右関係が一致して利便性が向上する。
【発明を実施するための最良の形態】
【００２５】
本発明の実施例を図を参照して説明する。
【実施例１】
【００２６】
図１は第１の実施例にかかるプロジェクタ用制御信号中継装置（以下、単に中継装置と略記する）のブロック図である。当該中継装置８は、予め設定された制御プログラムを記憶する制御プログラム記憶部１２、受信したデータを一時記憶する受信データ記憶部１４、制御プログラムに基づき所定の中継処理を行うＣＰＵやＭＰＵ等からなる命令実行部１８、該命令実行部１８にクロック信号を出力する内部発振器１６、リモコン装置１０からの赤外線制御信号を受光する受光器２２、命令実行部１８のインターフェースをなすＩ／Ｏポート２０、赤外線パルス信号を発光して射出する発光器２４等を備えている。
【００２７】
制御プログラム記憶部１２は、フラッシュメモリ等の記憶手段を備えて、予め設定された制御プログラムを記憶するものであり、受信データ記憶部１４はＲＡＭ（Ｒａｎｄｏｍ  Ａｃｃｅｓｓ  Ｍｅｍｏｒｙ）等の記憶手段を備えて受光器２２を介して受信した制御信号を受信データとして一時記憶するものである。
【００２８】
そして、中継装置８が起動されると制御プログラム記憶部１２からの制御プログラムが命令実行部１８に送られ、この命令実行部１８は内部発振器１６からのクロック信号に基づき、制御プログラムを実行する。
【００２９】
また、受光器２２ではリモコン装置１０からの制御信号が光電変換されて、Ｉ／Ｏポート２０を介して命令実行部１８に入力する。命令実行部１８はこの入力信号を受信データ記憶部１４に記憶させる。また、命令実行部１８は、受信データ記憶部１４に記憶されている入力信号をＩ／Ｏポート２０を介して発光器２４に出力し、当該発光器２４は受信した信号に基づき赤外線を発光する。
【００３０】
次に、このような中継装置８の動作を図２に示すタイミングチャート及び図３に示すフローチャートに基づき説明する。先ず、プロジェクタ及び中継装置８が起動する。これにより、中継装置８では制御プログラムが命令実行部１８に送られて、当該命令実行部１８は所定の初期設定動作を開始する（ステップＳ１）。かかる初期設定動作としては、例えば受信データ記憶部１４、Ｉ／Ｏポート２０、後述する累積パルス数Ｎの初期化が例示できる。
【００３１】
初期化が行われると受信データ記憶部１４にデータがあるか否かの判断が行われる（ステップＳ２）。データが存在しない場合には、ステップＳ１に戻り、Ｉ／Ｏポート２０等の初期化状態が維持され、データが存在する場合には、その受信データの受信が完了したか否かの判断が行われる（ステップＳ３）。
【００３２】
受信データの受信完了判断は、最後に受信したパルス信号からの経過時間Ｔが予め設定された受信終了判断時間Ｔ１より長いか否かにより判断する。そして、Ｔ＞Ｔ１の時は、データ受信が完了したと判断し、Ｔ≦Ｔ１の場合にはデータ受信中であると判断する。
【００３３】
なお、１つの意味を持つ制御信号は、１つ以上のパルス信号が時系列に並んだデータである。そこで、この各パルス信号の最大時間間隔より長い時間を受信終了判断時間Ｔ１に設定することにより、最後に受信したパルス信号からの経過時間Ｔがこの受信終了判断時間Ｔ１より長いか否かにより判断できる。
【００３４】
制御信号の受信開始直後（最初のパルス信号の受信後）は、かかるＴ＞Ｔ１の状態は存在しないので、ステップＳ４に進み、累積パルス数Ｎをインクリメントし（ステップＳ４）、そのパルス数が規定数Ｎｔ（例えば、１５パルス数）に達したか否かを判断する（ステップＳ６）。
【００３５】
通常、リモコン装置１０からの制御信号は、予め設定された数のパルスが連続する信号であるので、この規定数Ｎｔに達したか否かを判断することで、制御信号が受信中であるか否かの判断できる。
【００３６】
このとき、累積パルス数Ｎが、規定数Ｎｔを超えているような場合には、何らかの受信エラーが存在すると判断して、この一群の受信データを消去してステップＳ２に戻る（ステップＳ７）。
【００３７】
一方、累積パルス数Ｎが規定数Ｎｔを超えていない場合には、ステップＳ２に戻り、次のパルス信号を取得して、経過時間Ｔがこの受信終了判断時間Ｔ１より長いか否かを判断する（ステップＳ３）。
【００３８】
経過時間Ｔ＞受信終了判断時間Ｔ１の場合には、一群の受信データをＩ／Ｏポート２０を介して発光器２４に送り、当該データを消去する（ステップＳ７）。発光器２４はこのデータに基づき赤外線を発光する。
【００３９】
このような、中継装置８を用いてプロジェクタを操作する場合は、図４に示すように、例えばＬＡＮ５に接続されたプロジェクタ２に図５に示すようなリモコン装置１０から制御信号を送信する。
【００４０】
なお、中継装置８は、上述したように任意の位置に設置することができ、また受光器２２の受光方向や発光器２４の発光方向は任意設定できるようになっている。
【００４１】
リモコン装置１０は、マウス機能のボールホイール３２、ページ指定等において用いられるテンキー３３及びその他の機能キー３１等を備えて、これらのキー操作による制御信号は、プロジェクタ２に直接入力し、または上述した中継装置８を介して入力する。そして、例えば該当するページのデータがＬＡＮ５を介してパソコンからプロジェクタ２に送られておれば、この制御信号に基づきプロジェクタ２は、この情報を画像に変換してスクリーン４に投影する。
【００４２】
講演会場等においては室内照明に蛍光灯が用いられたり、また講演会場では赤外線を用いる種々の機材が用いられる場合がある。このような状況下では、リモコン装置１０から射出された制御信号にノイズが乗ることがある。先にも説明したように、制御信号は種々の情報を複数のパルス信号により表しているため、ノイズが乗ることによりパルス数が増えたりする。
【００４３】
しかし、本発明では、ステップＳ６で累積パルス数Ｎを監視し、またステップＳ３で制御信号の受信完了を監視しているので、複数のパルス列からなる制御信号を受信し、その受信したデータを射出することが可能になる。
【００４４】
以上により、ノイズを含んだ信号の出力が防止でき、従来公報におけるように受信した信号をそのままリアルタイムで出力して誤動作を起こす不都合が抑制できて制御の信頼性が高まる。
【００４５】
また、スクリーン４に向かってマウス操作しても、中継装置８が制御信号を中継するため、スクリーン４とリモコン装置１０との左右関係が一致して利便性が向上する。
【実施例２】
【００４６】
次に、第２の実施例を説明する。本発明に係る中継装置８は、複数のパルス信号からなる制御信号を受信して、受信完了後に出力する構成である。従って、受信信号射出中に新たな制御信号が受信される場合がある。しかし、受信信号射出中は、受信データの中にノイズが含まれているか否か等の受信データについての判断が行われず、また累積パルス数のカウントアップも行われない。このため、受信完了を検出して出力すると誤動作を引き起こす場合がある。
【００４７】
そこで、本実施例２では、受信したデータの射出中に到来した制御信号は無視することにより、上述した誤動作の発生を防止するようにしたものである。
【００４８】
かかる機能を備える中継装置８の構成を図６に示すタイミングチャート及び図７に示すフローチャートに基づき説明する。基本的動作は図２及び図３と同じであるが、図７においてステップＳ８が追加されている点が相違している。
【００４９】
このステップＳ８は、ステップＳ７で受信信号の射出が完了したデータを消去した後に、一定時間受信データがあるか否かを判断する処理である。この一定時間は、例えばパルス信号の最大時間間隔以上の時間で、もしデータ消去を行った時刻に受信中であった場合には、当然この一定時間内にパルス信号が受信されるはずである。
【００５０】
従って、この一定時間にパルス信号を受信したか否かを判断することにより、受信信号射出中に制御信号を受信していたか否かの判断が可能になり、信頼性の高い制御信号の中継が可能となる。
【００５１】
また、スクリーン４に向かってマウス操作しても、中継装置８が制御信号を中継するため、スクリーン４とリモコン装置１０との左右関係が一致して利便性が向上する。
【図面の簡単な説明】
【００５２】
【図１】実施例１の説明に適用されるプロジェクタ用制御信号中継装置のブロック図である。
【図２】プロジェクタ用制御信号中継装置のタイミングチャートである。
【図３】プロジェクタ用制御信号中継装置のフローチャートである。
【図４】プロジェクタ用制御信号中継装置の使用状況を説明する図である。
【図５】リモコン装置の構成を示す図である。
【図６】実施例２の説明に適用されるプロジェクタ用制御信号中継装置のタイミングチャートである。
【図７】プロジェクタ用制御信号中継装置のフローチャートである。
【図８】従来の技術の説明に適用されるプロジェクタの使用状況を説明する図である。
【符号の説明】
【００５３】
８  中継装置
１０  リモコン装置
１２  制御プログラム記憶部
１４  受信データ記憶部（データ記憶手段）
１６  内部発振器
１８  命令実行部（受信完了判断手段、信号出力手段、受信判断手段）
２０  Ｉ／Ｏポート
２２  受光器（データ記憶手段）
２４  発光器（信号出力手段）
【図１】
2005341246.tif 000003
【図２】
2005341246.tif 000004
【図３】
2005341246.tif 000005
【図４】
2005341246.tif 000006
【図５】
2005341246.tif 000007
【図６】
2005341246.tif 000008
【図７】
2005341246.tif 000009
【図８】
2005341246.tif 000010